(57)【要約】【課題】簡易な構造で、サーミスタのリード線の保護できるとともに、固定緩みを抑制できるので、より安全性を向上させる。【解決手段】熱交換器の背面側に位置し熱交換器へ流入する外気の温度を測定するサーミスタと、サーミスタを熱交換器に保持するサーミスタ取付ケースと、有し、サーミスタ取付ケースは、熱交換器の背面側に位置しサーミスタを保持するホルダ部と、サーミスタのリード線を挟持する引掛部と、ホルダ部に接続され熱交換器の上面に位置する台座と、台座に接続され熱交換器の前面側に位置するとともに熱交換器の背面側から前面側に向かう方向に形成された凸部を上下方向に複数備え複数の凸部によりサーミスタのリード線を挟持する固定部と、を有し、サーミスタのリード線はサーミスタから、引掛部、台座の上面、及び、固定部の順に経由して、室外機の内部に位置する電気品部に接続される。【選択図】図３
2014047996.tif 000002
【特許請求の範囲】
【請求項１】
室内機及び室外機を有する空気調和機であって、
前記室外機は、
前記室内機と前記室外機とを循環する冷媒が流れ、外気と熱交換する熱交換器と、
前記熱交換器の背面側に位置し、前記熱交換器へ流入する外気の温度を測定するサーミスタと、
前記サーミスタを前記熱交換器に保持するサーミスタ取付ケースと、
を有し、
前記サーミスタ取付ケースは、
前記熱交換器の背面側に位置し、前記サーミスタを保持するホルダ部と、
前記サーミスタのリード線を挟持する引掛部と、
前記ホルダ部に接続され、前記熱交換器の上面に位置する台座と、
前記台座に接続され、前記熱交換器の前面側に位置するとともに、前記熱交換器の背面側から前面側に向かう方向に形成された凸部を上下方向に複数備え、前記複数の凸部により前記サーミスタのリード線を挟持する固定部と、
を有し、
前記サーミスタの前記リード線は、前記サーミスタから、前記引掛部、前記台座の上面、及び、前記固定部の順に経由して、前記室外機の内部に位置する電気品部に接続される空気調和機。
【請求項２】
請求項１において、前記引掛部により前記リード線が上下方向に挟持され、前記固定部により前記リード線が左右方向に挟持される空気調和機。
【請求項３】
請求項１又は２において、前記サーミスタ取付ケースの左右方向に対して、前記引掛部が一方に配置され、前記固定部が他方に配置される空気調和機。
【請求項４】
請求項１乃至３の何れかにおいて、前記室外熱交換器に外気を送風するファンと、前記ファンを駆動するファンモータと、を有し、
前記固定部は、前記複数の凸部により、上下方向に複数箇所で固定可能に構成され、
前記ファンモータのリード線は、前記サーミスタの前記リード線よりも下方側において、前記固定部により挟持される空気調和機。
【発明の詳細な説明】
【技術分野】
【０００１】
本発明は、室外機の熱交換器に吸い込まれる外気温を検知するためのサーミスタの取り付け構造に関する。
【背景技術】
【０００２】
空気調和機は、室外機に外気温を検出するための外気温サーミスタを備え、検出された外気温に応じて、室外制御装置により送風機及び圧縮機等の運転が制御される。また、外気温サーミスタは室外機の背面側に配置される熱交換器の外側に取り付けられる。
【０００３】
従来の技術として、外気温サーミスタを固定するホルダ部とフタの役割で、サーミスタを保護するカバー部を、ヒンジを通して一体化とするものがある（特許文献１，２参照）。また、ホルダ部とカバー部によって、サーミスタのリード線(保護チューブ)を引き出し、挟持可能な構造とし、引き出した後にリード線の位置決めの役割をも有する固定部をホルダ部の上部に設ける。尚、リード線を挟持可能な引出部と位置決め可能な固定部は、サーミスタ取付部の中央に直線状に設ける。このような形状により、サーミスタ取り付け部のサーミスタ及びリード線の位置決めによる作業効率、部品点数の低減によるコスト削減が飛躍的に向上した。
【先行技術文献】
【特許文献】
【０００４】
【特許文献１】特許第４６１１８７５号(図２)
【特許文献２】特許第４６７８８３３号(図５)
【発明の概要】
【発明が解決しようとする課題】
【０００５】
リード線には保護チューブが装着されるが、鋭い端面を持つ熱交換器フィンに触れると、室外機運転時の振動により徐々にチューブ及びリード線が切断され、完全に切断するとサーミスタ部がショートし、運転が停止する可能性がある。
【０００６】
特許文献１，２では、リード線の位置決めが可能な固定部が熱交換器フィンを完全に超えていないため、その先のリード線の自由度があり、熱交換器フィンに触れる可能性がある。
【０００７】
また、リード線を挟持可能な引出部と位置決め可能な固定部が直線状に並んでいるため、リード線に緩みが生じる可能性がある。緩みが発生した場合、サーミスタ取り付け部に対し垂直にリード線が撓むため、熱交換器の上から取り付ける天板にリード線を挟み込む可能性があり、安全性の問題が懸念される。
【０００８】
本発明は、サーミスタのリード線をフィンに触れさせないこと、また、緩みを生じにくくし、安全性を高めた空気調和器の室外機を提供することを課題とする。
【課題を解決するための手段】
【０００９】
本発明の空気調和機は、室内機及び室外機を有する空気調和機であって、室外機は、室内機と室外機とを循環する冷媒が流れ、外気と熱交換する熱交換器と、熱交換器の背面側に位置し、熱交換器へ流入する外気の温度を測定するサーミスタと、サーミスタを熱交換器に保持するサーミスタ取付ケースと、有し、サーミスタ取付ケースは、熱交換器の背面側に位置し、サーミスタを保持するホルダ部と、サーミスタのリード線を挟持する引掛部と、ホルダ部に接続され、熱交換器の上面に位置する台座と、台座に接続され、熱交換器の前面側に位置するとともに、熱交換器の背面側から前面側に向かう方向に形成された凸部を上下方向に複数備え、複数の凸部によりサーミスタのリード線を挟持する固定部と、を有し、サーミスタのリード線は、サーミスタから、引掛部、台座の上面、及び、固定部の順に経由して、室外機の内部に位置する電気品部に接続される。
【発明の効果】
【００１０】
本発明の空気調和機によれば、簡易な構造で、サーミスタのリード線の保護できるとともに、固定緩みを抑制できるので、より安全性を向上させることができる。
【図面の簡単な説明】
【００１１】
【図１】空気調和機の室外ユニットを示す外観背面斜視図
【図２】サーミスタ取付ケースのフタを開いた状態で示す正面図
【図３】サーミスタ取付ケースにサーミスタを取り付けた状態を示す斜視図
【図４】室外熱交換器とサーミスタ取付ケースと天板との関係を示す断面図
【図５】室外ユニットの天板を外した状態を示す上面図
【００１２】
本実施例の空気調和機の室外機は、室外機の熱交換器に吸い込まれる外気温を検知するサーミスタと、サーミスタを固定するホルダ部と、サーミスタの前面を保護するカバー部と、ホルダ部とカバー部をつなぐヒンジを有し、ホルダ部には、サーミスタのリード線及び保護チューブを挟持可能な引掛部と、サーミスタのリード線及び保護チューブを熱交換器に触れさせないようにする台座と、サーミスタのリード線及び保護チューブを位置決めすることが可能な固定部を有し、引掛部と固定部は熱交換器を通し対角線上に配置した、サーミスタ取付ケースを備える。
【００１３】
より具体的には、本実施例の空気調和機は、室内機及び室外機を有する空気調和機であって、室外機は、室内機と室外機とを循環する冷媒が流れ、外気と熱交換する熱交換器と、熱交換器の背面側に位置し、熱交換器へ流入する外気の温度を測定するサーミスタと、サーミスタを熱交換器に保持するサーミスタ取付ケースと、有し、サーミスタ取付ケースは、熱交換器の背面側に位置し、サーミスタを保持するホルダ部と、サーミスタのリード線を挟持する引掛部と、ホルダ部に接続され、熱交換器の上面に位置する台座と、台座に接続され、熱交換器の前面側に位置するとともに、熱交換器の背面側から前面側に向かう方向に形成された凸部を上下方向に複数備え、複数の凸部によりサーミスタのリード線を挟持する固定部と、を有し、サーミスタのリード線は、サーミスタから、引掛部、台座の上面、及び、固定部の順に経由して、室外機の内部に位置する電気品部に接続される。
【００１４】
また、引掛部によりリード線が上下方向に挟持され、固定部によりリード線が左右方向に挟持される。また、サーミスタ取付ケースの左右方向に対して、引掛部が一方に配置され、固定部が他方に配置される。また、室外熱交換器に外気を送風するファンと、ファンを駆動するファンモータと、を有し、固定部は、複数の凸部により、上下方向に複数箇所で固定可能に構成され、ファンモータのリード線は、サーミスタのリード線よりも下方側において、固定部により挟持される。
【００１５】
尚、本実施例においては、熱交換器の空気流入側を熱交換器の「背面側」とし、熱交換器の空気流出側を熱交換器の「前面側」とする。
【００１６】
以下、本実施例を図面に基づいて説明する。図１は空気調和機の室外ユニット機を示す外観背面斜視図、図２はサーミスタ取付ケースのフタを開いた状態で示す正面図、図３はサーミスタ取付ケースにサーミスタを取り付けた状態を示す斜視図、図４は室外熱交換器とサーミスタ取付ケースと天板との関係を示す断面図、図５は室外ユニットの天板を外した状態を示す上面図である。
【００１７】
本実施例の室外ユニット１は、サーミスタ取付ケース２を室外熱交換器３の背面に装着し、上面から天板４を取り付ける。
【００１８】
サーミスタ取付ケース２は、サーミスタ１０を固定するホルダ部５と、サーミスタ１０の前面を保護するカバー部７とを、ホルダ部５とカバー部７とをつなぐヒンジ６で一体化する。さらに、ホルダ部５には、サーミスタ１０のリード線１１及び保護チューブ１２を挟持可能な引掛部８と、リード線１１及び保護チューブ１２を熱交換器に触れさせないようにするようにケース２の上面に台座１３を設ける。また、リード線１１及び保護チューブ１２を位置決めすることが可能な固定部９を有し、引掛部８及び固定部９は熱交換器３を通し対角線上に配置する。
【００１９】
ケース２を詳述すると、ホルダ部５内部には、サーミスタ１０を支える台座５ａ・５ｂと、サーミスタ１０を固定する突起５ｃ・５ｄ、リード線１１及び保護チューブ１２を固定する突起５ｅを有する。
【００２０】
ケース２の固定部９は２箇所(９ａ・９ｂ)設ける。これは、室外ユニットは、図５に示すように、ファンモータのリード線(保護チューブ付)１５をも固定可能に構成するためである。
【００２１】
サーミスタのリード線１１及び保護チューブ１２と、ファンモータのリード線１５を固定部９で固定した後、異なる固定部１７を通り、電気品１６内部へと繋がる。
【００２２】
ここで、サーミスタ取付構造の安全性の向上について説明する。引掛部８と固定部９を熱交換器３を通し配置した構造は、リード線１１及び保護チューブ１２の熱交換器３を完全に通りきるまでの自由度をなくして、製品の安全性を高めるためである。このとき、より安全性を高めるために、図５に示すように、ケース２の上面の台座１３は、上面からみると熱交換器３の幅よりも大きく設ける。
【００２３】
さらに、引掛部８と固定部９を熱交換器３を通し対角線上に配置することで、直線状に配置するよりもリード線のたわみをより制限することができる。
【００２４】
さらに、引掛部８はサーミスタ取付ケース２に対し垂直に切欠きを設ける。その一方で、固定部９はサーミスタ取付ケース２に対し水平に設ける。このように固定方向の違い（固定方向を９０度異ならせること）により、リード線の固定力がさらに向上する。これにより、リード線のたるみによる天板４へのリード線１１及び保護チューブ１２の挟み込みの危険性を抑制し、より一層の安全性を高めることができる。
【００２５】
尚、サーミスタ１０のリード線１１並びに保護チューブ１２とファンモータのリード線１５の固定部９(９ａ・９ｂ)での固定方法は、サーミスタ１０のリード線１１及びファンモータのリード線１５が交差するように、ファンモータのリード線１５を９ａ、サーミスタ１０のリード線１１及び保護チューブ１２を固定部９ｂに装着する。このように構成することで、サーミスタ１０のリード線１１及び保護チューブ１２にたわみが生じようとしても、上側にファンモータのリード線１５があるためたわみが抑制され、より安全性が高まる。
【００２６】
以上説明したように、本実施例の空気調和機においては、簡易な構造で、サーミスタのリード線の保護できるとともに、固定緩みを抑制できるので、より安全性を向上させることができる。
【符号の説明】
【００２７】
１…室外ユニット、２…サーミスタ取付ケース、３…室外熱交換器、４…天板、５…サーミスタ固定ホルダ部、６…ヒンジ、７…サーミスタ保護カバー部、８…引掛部、９…固定部、１０…サーミスタ、１１…サーミスタリード線、１２…保護チューブ(サーミスタリード線) 、１３…ケース上面台座、１４…ファン固定部、１５…ファンリード線(保護チューブ付) 、１６…電気品部、１７…固定部２
【図１】
2014047996.tif 000003
【図２】
2014047996.tif 000004
【図３】
2014047996.tif 000005
【図４】
2014047996.tif 000006
【図５】
2014047996.tif 000007